(57)【要約】      （修正有）【課題】携帯型パソコンとはいえ、机上の作業時に占有する面積は大きい、しかも不使用時には他の場所に収納するか、或いは机上の事務作業の中でパソコンの使用する割合が多い場合にはパソコンを中心的な位置に配置しての作業となるが、その割合が少ない場合にはパソコンの上で他の事務作業を行うか、或いは他の帳票や資料の上でパソコンの作業となっている。【解決手段】本発明は、携帯型パソコンの占有する面積を立体的に位置することにより、パソコンの作業に応じて携帯型パソコンの位置を手前下方から奥上方に移動を可能とした、しかも、どの位置に携帯型パソコンがあっても、パソコンの作業も一般事務作業の双方が出来ることを可能とし、机上の携帯型パソコンが占有していた面積を有効に活用するために携帯型パソコンの移動を速やかに出来る載置板１を備えたことを最も主要な特徴とした棚装置である。【選択図】図１
2006198277.tif 000002
【特許請求の範囲】
【請求項１】
机上に設置する棚において、手前下方から奥上方へ傾斜度の移動を可能とする載置板を備え、携帯型パソコンをキーボード部の手前側が低くなるように載置板に載置し、載置板と共に傾斜度を平行に移動することを特徴とする携帯型パソコン用棚装置。
【請求項２】
請求項１及び請求項２記載の棚装置であって、携帯型パソコンを載置する載置板を摺動させる目的で側板部に案内レールを備えることを特徴とする携帯型パソコン用棚装置。
【請求項３】
請求項１及び請求項２記載の棚装置であって、携帯型パソコンを載置する載置板を摺動させる目的で側板部に案内溝を備えることを特徴とする携帯型パソコン用棚装置。
【請求項４】
請求項１及び請求項２記載の棚装置であって、携帯型パソコンを載置する載置板を摺動させる目的で側板部に案内板を備えることを特徴とする携帯型パソコン用棚装置。
【請求項５】
請求項１乃至４記載の棚装置であって、携帯型パソコンを載置する載置板を容易に着脱でき、携帯型パソコンの不使用時には書類用または本用などの棚に容易に転用できることを特徴とする携帯型パソコン用棚装置。
【請求項６】
請求項１乃至５記載の棚装置であって、書類用または本用または事務作業用品の収納部を併設した携帯型パソコン用棚装置。
【発明の詳細な説明】
【技術分野】
【０００１】
本発明は、携帯型パソコンを載置して机上に設置する棚装置であり、携帯型パソコンが有効に活用でき、且つ他の事務作業などの妨害とならないスペースを生む携帯型パソコン用棚装置に関するものである。
【背景技術】
【０００２】
携帯型パソコンとはいえ、机上でのパソコン作業時にはパソコンが占有する面積は大きい、しかも、携帯型パソコンを不使用時には他の場所に収納するか、或いは携帯型パソコンの上で事務作業を余儀なくされていた。
【０００３】
机上の作業の中でパソコンを使用する時間割合の多い場合には、パソコンを中心的な位置に配置して作業を行う、また、パソコンを使用する時間割合が少ない場合には、パソコンの上で他の事務作業を行っている現状があった。
【０００４】
机上の作業の中で一般事務作業の時間割合の多い場合には、帳票資料を中心的な位置に配置して事務作業を行う、また、一般事務作業の時間割合が少ない場合には帳票や資料の上でパソコンの作業を行っている現状があった。
【０００５】
また、机上に設置して使用する収納が目的である携帯型パソコンを移動する装置は多くある。
【０００６】
しかし、パソコンの作業時間が長時間毎に区切りの有る場合には、作業内容ごとに携帯型パソコンを収納したり、取り出したりして作業を行うことで苦痛を伴わないが、一般的にはパソコンの作業と一般事務作業は入り混じった作業が多い。
【０００７】
また、一般的な事務作業をしている時もパソコンのディスプレーの内容を確認したり、キーボードから簡単な入力作業は必要となる。
【０００８】
しかし、携帯型パソコンを収納したり、パソコンの上で事務作業を行うとパソコンのディスプレーを見ながらの事務作業やキーボードから簡単な入力作業が出来なくなる、という欠点があった。
【０００９】
一般的な事務作業の中であってもパソコン内に収録しているデーターをディスプレーで確認しながら事務作業する場合が頻繁であることから事務作業上問題があった。
【００１０】
この改善策として、互いの作業に支障をきたさないばかりか、双方の作業を円滑に切り替えたり、同時の作業を可能とする必要があった。
【特許文献１】特開平Ｈ１１−１９６９４１号公報
【特許文献２】特開２００４−１４５８３３号公報
【発明の開示】
【発明が解決しようとする課題】
【００１１】
解決しようとする問題点は、携帯型パソコンの占有する面積が大きいために机上の一般的な事務作業に支障をきたしていた点と、パソコンの作業と一般的な事務作業を円滑に切り替えられなかった点である。
【課題を解決するための手段】
【００１２】
本発明は、携帯型パソコンを載置板に載置し、パソコンの作業や一般的な事務作業に応じて携帯型パソコンの位置を手前下方から奥上方に平行移動を可能とした上で、その移動範囲内のどの位置に携帯型パソコンがあっても、パソコンの作業と一般的な事務作業が出来ることを可能とした携帯型パソコンを載置する載置板を備えた棚装置である。
【発明の効果】
【００１３】
本発明の机上に設置する携帯型パソコン用の棚装置は、従来、携帯型パソコンが机上で占有していた面積を有効に活用できる。
【００１４】
また、速やかに携帯型パソコンの移動が可能であり、且つ移動したどの位置に留めてもキーボード操作とディスプレー部の視認状態は保持できる。
【００１５】
また、一般的な事務作業の場合、使用していない携帯型パソコンは机上の事務作業上で最も重要な位置を占有していたための、事務作業を阻害する要因を取り除くことができる。
【００１６】
また、同時に一般的な事務作業とパソコンの作業の双方が作業可能となる利点がある。
【００１７】
また、携帯型パソコンを斜めに摺動して移動する手段により、複雑な機構は必要としない簡易な構造であっても目的を達成できうる最大の利点がある。
【発明を実施するための最良の形態】
【００１８】
側板３ｃと側板３ｄの間に携帯型パソコンの載置板１を手前に低く奥に高くなる載置板を取り付け角度１５の傾斜で具備し、摺動部は側板に案内レール１１を具備することで円滑な傾斜移動を可能とする構造である。
【００１９】
側板３ｅと側板３ｆの間に携帯型パソコンの載置板１を手前に低く奥に高くなる載置板を取り付け角度１５の傾斜で具備し、摺動部は側板に案内溝８を具備することで載置板が溝に案内され円滑な傾斜移動を可能とする構造である。
【００２０】
側板３ｇと側板３ｈの間に携帯型パソコンの載置板１を手前に低く奥に高くなる載置板を取り付け角度１５の傾斜で具備し、摺動部は側板に案内板９を具備することで載置板が案内板上を案内され円滑な傾斜移動を可能とする構造である。
【００２１】
上記棚装置の本体部分に左右の一方または左右に付帯部１０を付設した構造である。
【００２２】
上記棚装置の２枚の側板の間に具備した載置板１を容易に着脱可能とした構造である。
【００２３】
また、載置板１が最上部において係止することを目的としたロック装置６を備えた構造である。  
【００２４】
また、載置板１と携帯型パソコンを最も手前に引き出した状態において、携帯型パソコン及び載置板１が最上部で係止状態時と略同一傾斜角度を保持できるだけの載置板１の下端部取り付け高さ１３を備えた構造である。
【実施例１】
【００２５】
図１は、本発明装置の１実施例の斜視図であって、基本的な構造を示し、側板３ａと側板３ｂと床板２と背板4により棚装置の構造体は固定化して、側板３ａと側板３ｂ間の距離より小さい寸法で携帯型パソコンが載置出来うる大きさの載置板１を取り付け角度１５及び取り付け高さ１３で備え、それぞれの側板と接する部位に摺動手段5を設けたものであり、ロック装置６のロックを外し手前下方に載置板１と共に携帯型パソコンを移動させる。
【００２６】
図２は、本発明装置の１実施例の斜視図であって、上記の基本的な構造である棚装置の載置板１を手前下方に移動した図を示した、摺動手段に案内レール１１を備えた棚装置である。
【００２７】
図３は、本発明装置の１実施例の斜視図であって、棚装置の側板３ｆを分離した図により構造を示した、摺動手段に案内溝８を備えた棚装置である。
【００２８】
図４は、本発明装置の１実施例の斜視図であって、棚装置の側板３ｈを分離した図により構造を示した、摺動手段に案内板９を備えた棚装置である。
【００２９】
図５は、本発明装置の１実施例の斜視図であって、図1の基本構造に付設した応用例の図であって、本または書類用の付設部１０を有した構造の棚装置である。
【００３０】
図６は、本発明装置の１実施例の断面を見た図であって、上記の基本的な構造である棚装置の載置板１の取り付け角度１５を３０度とした上で載置板１の移動量１６及び重複部１４の寸法を加味して、載置板１の取り付け高さ１３を決定した、手前下方から奥上方に平行移動した図を示した構造の棚装置である。
【００３１】
上記のいずれの図の実施例も載置板１に携帯型パソコンの滑落防止目的の滑り止め具７を１つ以上備えた構造の棚装置である。
【産業上の利用可能性】
【００３２】
限られた面積の事務用机などにおいて、パソコン作業と一般的な事務作業を同時に作業できうる環境を概発明により安価に提供できる。
【図面の簡単な説明】
【００３３】
【図１】概棚装置の基本的な構造であり、側板３ａと側板３ｂと床板２と背板4は棚装置の構造上固定し、側板３ａと側板３ｂ間に載置板１を具備し、それぞれの側板との間には摺動手段を設け、奥上方で系止が出来るロック装置６を示した説明図である。
【００３４】
【図２】上記の基本的な構造である棚装置の載置板１をロック装置６のロックを外し手前下方に載置板１を移動させた、棚装置を示した説明図である。
【００３５】
【図３】棚装置の構造から側板３ｆを分離した図により示した、案内溝８を備えた説明図である。
【００３６】
【図４】棚装置の構造から側板３ｈを分離した図により示した、案内板９を備えた説明図である。
【００３７】
【図５】図1の基本構造に付設した応用例の図であって、本または書類立などの付設部１０を有した構造を示した説明図である。
【００３８】
【図６】図1の基本構造の断面を見た図であって、載置板１の取り付け角度１５及び取り付け高さ１３及び移動量１６及び重複部１４を示した説明図である。
【符号の説明】
【００３９】
１    載置板
２    床板
３    側板
３ａ  側板（基本構造）と側板ｂ（基本構造）は対象形  
３ｂ  側板（基本構造）
３ｃ  側板（案内レール構造）と側板ｄ（案内レール構造）は対象形
３ｄ  側板（案内レール構造）  
３ｅ  側板（案内溝構造）と側板ｆ（案内溝構造）は対象形    
３ｆ  側板（案内溝構造）  
３ｇ  側板（案内板構造）と側板ｈ（案内板構造）は対象形  
３ｈ  側板（案内板構造）  
３ｉ  側板（基本構造）と側板ａ（基本構造）は同じ  
３ｊ  側板（付設構造）
３ｋ  側板（付設構造の最外側）
４    背板
５    基本構造の摺動面部
６    ロック装置
７    携帯型パソコン滑り止め具
８    案内溝部
９    案内板部
１０  付設部
１１  案内レール部
１２  机上板
１３  載置板下端部取り付け高さ
１４  載置板重複部
１５  載置板取り付け角度
１６  載置板移動量
【図１】
2006198277.tif 000003
【図２】
2006198277.tif 000004
【図３】
2006198277.tif 000005
【図４】
2006198277.tif 000006
【図５】
2006198277.tif 000007
【図６】
2006198277.tif 000008